(57)【要約】【課題】板バネ式のクリップの着脱を、接続光コネクタ（突き合わせ接続された２つの光コネクタ）を移動させずに行えるようにする。【解決手段】クリップは短冊状の平板部の両端の湾曲状突片にて接続光コネクタを弾性的に挟持する。中間部を回転軸１２で連結した一対の開閉片１３、１４は、一端側に操作部１５、１６、他端側に作業部１７、１８を持つ。作業部１７，１８は、回転軸から離れた位置で回転軸の長手方向に延びるアーム２０の先端にクリップ係止部２１を持つ。クリップ係止部２１は、クリップの２つの湾曲状突片の湾曲凹部にそれぞれ係合可能な突起部２１ａを持つ。接続光コネクタを挟持したクリップの平板部と直交する方向のスペースが狭くても、クリップ係止２１部の突起部２１ａをクリップの湾曲状突片の湾曲凹部に係合させてクリップ着脱作業を行える。【選択図】図１
2011027943.tif 000002
【特許請求の範囲】
【請求項１】
突き合わせ接続された２つの光コネクタの各後端面を突き合わせ方向に弾性的に押し付ける２つの湾曲状突片を短冊状平板部の長手方向の両側にそれぞれ備えた板バネ式のクリップを接続光コネクタに対して着脱する光コネクタ用クリップ着脱工具において、
一端側を閉じた時に他端側が開くようにそれぞれの中間部を回転軸で連結した一対の開閉片を備え、
各開平片は、前記一端側に操作部、他端側に作業部を備え、
前記作業部は、回転軸から離れた位置で回転軸の長手方向に延びるアームの先端にクリップ係止部を設けた構成であり、
前記クリップ係止部は、クリップの前記２つの湾曲状突片の湾曲凹部にそれぞれ係合可能な突起部を備えていることを特徴とする光コネクタ用クリップ着脱工具。
【請求項２】
対向する操作部間に、両操作部を互いに開く方向に付勢するバネを設けたことを特徴とする請求項１記載の光コネクタ用クリップ着脱工具。
【請求項３】
前記バネねが両操作部間を開く方向に付勢している状態で、対向するアーム部間に光ファイバを通すことができる程度の隙間を形成する間隙規制手段を設けたことを特徴とする請求項２記載の光コネクタ用クリップ着脱工具。
【発明の詳細な説明】
【技術分野】
【０００１】
この発明は、いわゆるＭＴ光コネクタと一般に呼ばれる光コネクタどうしの突き合わせ接続が板バネ式のクリップで挟持して行われる場合に、そのクリップを接続光コネクタに対して着脱する光コネクタ用クリップ着脱工具に関する。
【背景技術】
【０００２】
JIS C
5981に規定されるＦ１２形多心光ファイバコネクタに相当する光コネクタは一般にＭＴ光コネクタと称されるが、直接このＭＴ光コネクタどうしを突き合わせ接続する場合は、一般に、図１１に示すような板バネ式のクリップ１を用いて行う。
このクリップ１は、突き合わせ接続された２つの光コネクタ２の各後端面２ａを突き合わせ方向（矢印ａ方向）に弾性的に押し付ける１対の湾曲状突片１ｂを略短冊状の平板部１ａの長手方向の両側に備えた構成である。
同図において、３は光ファイバテープ心線である
【０００３】
このクリップ１を、突き合わせ接続された２つの光コネクタ２、２（以下、これを接続光コネクタと呼ぶ）に対して図１１のように装着して挟持したり、図１１の状態からクリップ１を取り外したりする場合、一般に専用の光コネクタ用クリップ着脱工具（以下、単にクリップ着脱工具という）を用いる。
【０００４】
従来のクリップ着脱工具は一般に、例えば図１３に示したクリップ着脱工具４（特許文献１）のように、対向する操作部５ａ、６ａを手で握って閉じた時に先端側の作業部５ｂ、６ｂが開くようにそれぞれの中間部を回転軸７で連結してなる屈曲した棒状の一対の開閉片５、６を備え、作業部５ｂ、６ｂの先端部にそれぞれクリップ係止部８を設け、さらに、操作部６ａ、７ａを開く方向に付勢するバネ９を設けた構成である。
そして、各クリップ係止部８は、クリップ１の長手方向両側のそれぞれ２つの湾曲状突片１ｂの湾曲凹部１ｂ’に係合可能な２つの爪８ａを備えている。
上記の通り、従来のクリップ着脱工具４は、屈曲した棒状の開閉片５、６の開閉面内（図１４の紙面内）の先端にクリップ係止部８を備え、かつ、クリップ係止部８の爪８ａは、開閉片５、６の開閉面内で先端方向（図１４で下方）に突出して、クリップ１の湾曲状突片１ｂの湾曲凹部１ｂ’に係合する構成である。
【０００５】
上記クリップ着脱工具４で、図１１のような接続光コネクタ１０からクリップ１を取り外す場合、クリップ着脱工具４を接続光コネクタ１０に対して図１４のようにセットし、次いで、操作部５ａ、６ａを手で握って互いに接近させ、これにより先端側のクリップ係止部８を離間させて爪８ａでクリップ１の湾曲状突片１ｂを図１４で左右に広げ、こうして接続光コネクタ２に対する挟持状態を解除した後、クリップ着脱工具４を上に引き上げて、クリップ１を接続光コネクタから取り外す。
また、特許文献２〜特許文献４も概ね同様な構成である。
【先行技術文献】
【特許文献】
【０００６】
【特許文献１】特開平9-265023(光コネクタ用クリップホルダ)の図５
【特許文献２】実開平2-35682(光コネクタ用クリップ脱着工具)の図１など
【特許文献３】特許3547373号(クリップ着脱工具)の図１１
【特許文献４】特開2006-208680(光コネクタの活線作業用工具・・・）の図５、図６など
【発明の概要】
【発明が解決しようとする課題】
【０００７】
上記のように、従来のクリップ着脱工具４は、屈曲した棒状の開閉片５、６の開閉面内（図１４の紙面内）の先端に、クリップ１の湾曲状突片１ｂを広げるための爪８ａを設けた構造であるから、クリップ１の平板部１ａと直交する方向（図１４の上下方向）に、クリップ着脱工具の長さ以上の広いスペースを必要とする。
したがって、接続光コネクタ１０を挟持したクリップ１の平板部１ａが横を向いている場合で、複数の接続光コネクタ１０が接近して並んでいる場合（図１２参照）には、その状態のままではクリップ着脱作業ができない。後述するが、図１２は光クロージャ内のトレイ３０を模式的に示した平面図である。
【０００８】
接続光コネクタ１０に対してクリップ１を着脱する作業は、新規に施工する場合に限らず、光クロージャのメンテナンスにおいても必要となる。例えば、光クロージャ内で接続光コネクタを挟持したクリップ１が経年変化等で劣化して押圧力が低下した場合等にはクリップ交換が必要となる。
このように、光クロージャ内の接続光コネクタに対してクリップ着脱作業をするような場合には、クリップ１の平板部１ａと直交する方向に広いスペースがない場合が多いので、そのままの状態ではクリップ着脱工具４を使用できず、接続光コネクタを手元に移動させなければ、クリップ着脱作業をすることができないことが多い。
例えば前述したように、接続光コネクタが、クリップ１の平板部１ａが横向きの姿勢で配置され、かつ、複数の接続光コネクタが接近して並んでいる場合には、その状態のままではクリップ着脱作業ができないので、接続光コネクタを手元に移動させる必要がある。
【０００９】
しかし、活線状態の接続光コネクタを移動させると、光コネクタどうしの突き合わせ圧力が変化したり接続端面が離間したりして、信号が途切れるなど、通信状態に悪影響を及ぼす可能性がある。
そこで、できるだけ接続光コネクタを移動させずにクリップを取り外すことができることが、光クロージャのメンテナンスにおいて求められている。
【００１０】
本発明は上記事情に鑑みてなされたもので、クリップを用いた接続光コネクタに対するクリップの着脱を、その接続光コネクタを移動させることなく行うことが可能な光コネクタ用クリップ着脱工具を提供することを目的とする。
【課題を解決するための手段】
【００１１】
上記課題を解決する本発明は、突き合わせ接続された２つの光コネクタの各後端面を突き合わせ方向に弾性的に押し付ける２つの湾曲状突片を短冊状平板部の長手方向の両側にそれぞれ備えた板バネ式のクリップを接続光コネクタに対して着脱する光コネクタ用クリップ着脱工具において、
一端側を閉じた時に他端側が開くようにそれぞれの中間部を回転軸で連結した一対の開閉片を備え、
各開平片は、前記一端側に操作部、他端側に作業部を備え、
前記作業部は、回転軸から離れた位置で回転軸の長手方向に延びるアームの先端にクリップ係止部を設けた構成であり、
前記クリップ係止部は、クリップの前記２つの湾曲状突片の湾曲凹部にそれぞれ係合可能な突起部を備えていることを特徴とする。
【００１２】
請求項２は、請求項１記載の光コネクタ用クリップ着脱工具において、対向する操作部間に、両操作部を互いに開く方向に付勢するバネを設けたことを特徴とする。
【００１３】
請求項３は、請求項２記載の光コネクタ用クリップ着脱工具において、前記バネが両操作部間を開く方向に付勢している状態で、対向するアーム部間に光ファイバを通すことができる程度の隙間を形成する間隙規制手段を設けたことを特徴とする。
【発明の効果】
【００１４】
本発明によれば、回転軸で開閉可能に連結された1対の開閉片が回転軸を挟んで互いに反対側に操作部と作業部とを備えるとともに、作業部に形成した回転軸長手方向に延びるアームの先端にクリップ係止部を設けたので、クリップ係止部が操作部から回転軸長手方向に離れており、クリップ係止部の近傍では、その突起部をクリップの湾曲状突片の湾曲凹部に嵌入させる方向に占めるスペースが小さい。
したがって、クリップで挟持した接続光コネクタにおけるクリップの平板部と直交する方向に広いスペースがなくても、クリップ係止部の突起部をクリップの湾曲状突片の湾曲凹部に係合させることができ、クリップ着脱作業を行うことができる。
これにより、空きスペースの少ない光クロージャ内でのクリップ着脱作業であっても、接続光コネクタを手元に移動させることなく、クリップ着脱作業を行うことが可能となる。
例えば、接続光コネクタが、クリップの平板部が横向きの姿勢で配置され、かつ、複数の接続光コネクタが接近して並んでいる場合でも、接続光コネクタを移動させることなく、クリップ着脱作業を行うことが可能となる。
【００１５】
請求項２によれば、対向する操作部間に、両操作部を互いに開く方向に付勢するバネを設けているので、クリップ着脱作業をする際には、単に操作部を握ればよい状態となっており、作業性が良好である。
【００１６】
請求項３によれば、ストッパ部により常に、対向するアーム部間及びクリップ係止部間に光ファイバを通すことができる程度の隙間が形成されているので、操作部の握りを緩めて作業部が閉じた場合でも、まだ隙間が残っていることで、光ファイバを挟み込んで損傷してしまうことを防止できる。
【図面の簡単な説明】
【００１７】
【図１】本発明の一実施例の光コネクタ用クリップ着脱工具の斜め上方から見た斜視図である。
【図２】上記光コネクタ用クリップ着脱工具の斜め下方から見た斜視図である。
【図３】上記光コネクタ用クリップ着脱工具の正面図である。
【図４】上記光コネクタ用クリップ着脱工具の側面図である。
【図５】上記光コネクタ用クリップ着脱工具の平面図である。
【図６】クリップで挟持された接続光コネクタのクリップに、上記光コネクタ用クリップ着脱工具のクリップ係止部を係合させた状態の拡大した正面図である。
【図７】図６の要部の右側面図である。
【図８】図６の状態からクリップ着脱工具の操作部を握って、クリップ係止部でクリップの湾曲状突片を左右に広げた状態を示す図である。
【図９】上記のクリップ着脱工具で図１２中の接続光コネクタのクリップを取り外す作業状況を説明するもので、（ａ）は作業状態での平面図、（ｂ）は同側面図である。
【図１０】上記クリップ着脱工具の異なる使用態様を説明する図である。
【図１１】光コネクタ用クリップ着脱工具の作業対象を示すもので、突き合わせ接続された２つの光コネクタをクリップで挟持した接続光コネクタの一例を示す斜視図である。
【図１２】光コネクタ用クリップ着脱工具の作業環境の一例を説明するもので、光クロージャ内に設けられた、接続光コネクタを収容したトレイの模式的な平面図である。
【図１３】従来の光コネクタ用クリップ着脱工具の斜視図である。
【図１４】図１３の光コネクタ用クリップ着脱工具の使用状態を説明する図である。
【発明を実施するための形態】
【００１８】
以下、本発明を実施した光コネクタ用クリップ着脱工具について、図面を参照して説明する。
【実施例１】
【００１９】
本発明のクリップ着脱工具は、図１１のように突き合わせ接続された２つの光コネクタ２，２（接続光コネクタ１０）を板バネ式のクリップ１で挟持する場合に、そのクリップ１の着脱を行うものである。
光コネクタ２は、一般にＭＴ光コネクタと称されているもので、JIS
C 5981に規定されるＦ１２形多心光ファイバコネクタに相当する。
クリップ１は、突き合わせ接続された２つの光コネクタ２、２（接続光コネクタ１０）の各後端面２ａを突き合わせ方向（矢印ａ方向）に弾性的に押し付ける２つの湾曲状突片１ｂを略短冊状の平板部１ａの長手方向の両側にそれぞれ備えた構成である。
同図において、３は光ファイバテープ心線である
【００２０】
図１は本発明の一実施例の光コネクタ用クリップ着脱工具１１の斜め上方から見た斜視図、図２は斜め下方から見た斜視図である。図３は光コネクタ用クリップ着脱工具（以下クリップ着脱工具と略す）１１の正面図、図４は同右側面図、図５は同平面図である。
このクリップ着脱工具１１は、一端側（図３や図４の上側）を閉じた時に他端側（図３や図４の下側）が開くようにそれぞれの中間部を回転軸１２で連結した一対の開閉片１３、１４を備えている。
図１等において、回転軸１２の長手方向をＸ方向（Ｘ軸）、開閉片１３，１４の対向方向をＺ方向（Ｚ軸）、Ｘ軸及びＺ軸に直交する方向をＹ方向（Ｙ軸）として示している。
各開平片１３、１４は、Ｙ軸方向の上側（一端側）に操作部１５、１６、下側（他端側）に作業部１７、１８を備えている。
前記操作部１５、１６は、図４に示すように上部輪郭が半円形であり概ね板状をなしている。
前記作業部１７、１８は、回転軸１２から図３、図４等で下方に離れた位置で、図４に示すように回転軸１２の長手方向（Ｘ方向）に延びるアーム２０の先端にクリップ係止部２１を設けた構成である。
【００２１】
前記クリップ係止部２１は、クリップ１の前記２つの湾曲状突片１ｂの湾曲凹部１ｂ’（湾曲状突片１ｂの凹面側を指す）にそれぞれ係合可能な４つの突起部２１ａを備えている。クリップ係止部２１は、一対の開閉片１３、１４の対向方向（Ｚ方向）から見てコ字形（図４で下向きのコ字形）をなしており、そのコ字形の両側の下方（Ｙ方向）に伸びる脚部分２１ｂの内側面に前記突起部２１ａが内向き（Ｘ方向の内向き）に突出している。
また、対向する操作部１５、１６間に、両操作部１５、１６を互いに開く方向に付勢するバネ（図示例は圧縮バネであるコイルバネで）２２を設けている。
また、前記バネ２２が両操作部１５、１６間を開く方向に付勢している状態（図１〜図６の等の状態）で、対向するアーム部２０間に、光ファイバを通すことができる程度の隙間ｇを形成する間隙規制手段を設けている。
実施例の間隙規制手段は、図３等に示すように、回転軸１２の中心からやや下方に偏位した位置で一方の開閉片１３に形成した内向きのストッパ部１３ａが他方の開閉片１４の内側面１４ａに当たることで、両アーム部２０が閉じずに隙間ｇが残るようにした構成である。
【００２２】
上記のクリップ着脱工具１１を用いて、図１１のようにクリップ１で挟持した接続光コネクタ１０からクリップ１を取り外す作業について説明する。
この説明では、接続光コネクタ１０が、図１２に示すように光クロージャ内のトレイ３０の底板３０ａ上に、クリップ１の平板部１ａが横向きの姿勢で配置され、かつ、複数の接続光コネクタ１０が接近して並んで収容されている場合とする。
クリップ着脱工具１１は、例えば図９（ａ）のように操作部１５，１６を指で軽く挟んで持つ。
図９（ｂ）のように、クリップ着脱工具１１のアーム２０がトレイ３０の底板３０ａに対して直角をなす姿勢とし、クリップ取り外しをしようとする接続光コネクタ１０に近づける。
操作部１３、１４を閉じないまま、アーム２０の図９（ｂ）で下端で図９（ａ）の両側のクリップ係止部２１を接続光コネクタ１０のクリップ１に矢印のように接近させ、各突起部２１ａをクリップ１の両側の湾曲状突片１ｂの湾曲凹部１ｂ’に嵌入させる。
この場合、必要があれば接続光コネクタ１０をトレイ３０の底板３０ａから僅かに浮かせるとよい。
クリップ係止部２１の突起部２１ａが湾曲状突片１ｂの湾曲凹部１ｂ’に嵌入した状態を図６、図７に示す。
次いで、指に若干力を入れて操作部１５、１６をバネ２２の反力に抗して接近させると、図８に示すように、各アーム２０がクリップ長手方向に離間して両側のクリップ係止部２１が互いに離間し、クリップ係止部２１の突起部２１ａがクリップ１の両側の湾曲状突片１ｂをそれぞれ外側に拡げる。これにより、突き合わされた２つの光コネクタ２のそれぞれ後端面２ａを押圧していた湾曲状突片１ｂが光コネクタ２の後端面２ａから離れ、挟持状態が解除される。
次いで、クリップ着脱工具１１を引き上げると、クリップ１が接続光コネクタ１０から外れる。
【００２３】
上記の作業において、クリップ係止部２１は、その突起部２１ａをクリップ１の湾曲状突片１ｂの湾曲凹部１ｂ’に嵌入させる方向（Ｙ方向）の寸法が短い（占めるスペースが小さい）ので、クリップ１で挟持された接続光コネクタ１０におけるクリップ１の平板部１ａと直交する方向（図９（ｂ）で左右方向（Ｙ方向））に広いスペースがなくても（他の接続光コネクタ１０が近くにあっても）、突起部２１ａをクリップ１の湾曲状突片１ｂの湾曲凹部１ｂ’に係合させることができ、クリップ着脱作業を行うことができる。したがって、接続光コネクタ１０を手元に移動させることなく、クリップ着脱作業を行うことが可能となる。
【００２４】
クリップ１を外した状態の接続光コネクタ１０に対して、クリップ１を装着する時は、クリップ着脱工具１１のクリップ係止部２１でクリップ１を保持（図６、図７で光コネクタ２がない状態）し、図９（ａ）と同様に指で掴んだ操作部１５、１６を閉ざしてアーム２０を開き、これにより両側のクリップ係止部２１を互いに離間させて、突起部２１ａでクリップ１の湾曲状突片１ｂをそれぞれ外側に拡げる（図８で光コネクタ２のない状態）。
次いで、操作部１３，１４の掴みの力を緩めると、操作部１５、１６が開きアーム２が閉じクリップ係止部２１及びその突起部２１ａが互いに接近し、クリップ１の湾曲状突片１ｂが元に復帰して、各光コネクタ２の後端面を押圧する状態となる。
これにより、突き合わせ接続された２つの光コネクタ２がクリップ１で挟持される。この作業も、前述と同様に接続光コネクタ１０を移動させずに行うことができる。
したがって、活線状態の接続光コネクタに対してクリップ着脱作業をしても、光コネクタどうしの突き合わせ圧力が変化したり接続端面が離間したりして通信状態に悪影響を及ぼすことを防止できる。
【実施例２】
【００２５】
上述では、図９（ｂ）のように、クリップ着脱工具１１のアーム２０をトレイ３０の底板３０ａと直交させる姿勢で、クリップ取り外し作業をする場合について説明したが、接続光コネクタ１０の姿勢によっては、前記とは別の姿勢でクリップ取り外し作業をすることができる。
例えば、図１０に示すように、接続光コネクタ１０がトレイの底板３０ａにクリップ１の平板部１ａが上面になる姿勢で置かれていた場合には、アーム２０が底板３０ａと平行になる姿勢で、操作部１５、１６を掴み、クリップ係止部２１を矢印のように下降させる動作で、その突起部２１ａをクリップ１の湾曲状突片１ｂの湾曲凹部１ｂ’に係合させることができ、クリップ取り外し作業をすることができる。
クリップ１を接続光コネクタに装着する作業も、前述と同様な操作で行うことができる。
この使用例は、クリップ１の平板部１ａを上にしてトレイ３０に置かれた接続光コネクタ１０の上方にスペースがあまりない場合でも、接続光コネクタ１０を手元に移動させることなく、クリップ着脱作業を行うことができる、という使用例である。
【符号の説明】
【００２６】
１  クリップ（光コネクタ用クリップ）
１ａ  平板部
１ｂ  湾曲状突片
１ｂ’  湾曲凹部
２  光コネクタ
２ａ  （光コネクタの）後端面
３  光ファイバテープ心線
１０  接続光コネクタ（突き合わせ接続された２つの光コネクタ）
１１  クリップ着脱工具（光コネクタ用クリップ着脱工具）
１２  回転軸
１３、１４  開閉片
１３ａ  ストッパ部
１４ａ  内側面
１５、１６  操作部
１７、１８  作業部
２０  アーム
２１  クリップ係止部
２１ａ  突起部
２２  バネ
３０  トレイ
３０ａ  （トレイの）底板
ｇ  （両アーム間の）隙間
【図１】
2011027943.tif 000003
【図２】
2011027943.tif 000004
【図３】
2011027943.tif 000005
【図４】
2011027943.tif 000006
【図５】
2011027943.tif 000007
【図６】
2011027943.tif 000008
【図７】
2011027943.tif 000009
【図８】
2011027943.tif 000010
【図９】
2011027943.tif 000011
【図１０】
2011027943.tif 000012
【図１１】
2011027943.tif 000013
【図１２】
2011027943.tif 000014
【図１３】
2011027943.tif 000015
【図１４】
2011027943.tif 000016